(57)【要約】【課題】小物などが保持されている部分をできる限り隠しながら電子機器本体の周囲の壁面を装飾することができる壁掛電子機器を提供することを提供すること。【解決手段】物体保持部材１４０は、テレビドアホン本体１１０と対向する側に位置するように係止部材１２０と一体成形されており、小物などの物体を保持する保持面１４１および保持面１４１が物体を保持する方向とは異なる方向から物体を保持する副保持面１４２からなるフック形状になっている。テレビドアホン本体１１０が係止部材１２０によって係止された状態では、物体保持部材１４０の保持面１４１は、テレビドアホン本体１１０の凹部１１１ｃと凹部１１１ｃに対向する係止部材１２０の面との隙間に位置している。【選択図】      図１
2004200482.tif 000002
【特許請求の範囲】
【請求項１】
凹部が形成された面を有する電子機器本体と、
前記電子機器本体の前記凹部に位置した状態で前記電子機器本体を係止する係止部を有して壁面に固定可能な係止部材と、
物体を保持する保持面を有して前記電子機器本体の前記凹部と前記係止部材との間に位置する物体保持部材とを備えたことを特徴する壁掛電子機器。
【請求項２】
前記物体保持部材は、前記係止部材と一体成形されていることを特徴とする請求項１に記載の壁掛電子機器。
【請求項３】
前記物体保持部材は、前記電子機器本体と一体成形されていることを特徴とする請求項１に記載の壁掛電子機器。
【請求項４】
前記物体保持部材は、前記保持面と、この保持面が物体を保持する方向とは異なる方向から物体を保持する副保持面とを有することを特徴とする請求項１ないし請求項３の何れかに記載の壁掛電子機器。
【請求項５】
前記物体保持部材は、穴部が形成され、前記穴部の内壁面を前記保持面とすることを特徴とする請求項１ないし請求項３の何れかに記載の壁掛電子機器。
【発明の詳細な説明】
【０００１】
【発明の属する技術分野】
本発明は、壁掛電子機器に関するものであり、より詳しくは、小物などが保持されている部分をできる限り隠しながら電子機器本体の周囲の壁面を装飾することができるテレビドアホン、インターホン、ファクシミリ、電話などに関するものである。
【０００２】
【従来の技術】
従来の壁掛電子機器として、動物の顔型に成形された筐体を備え、筐体の正面（動物の顎部に相当する部位）をハンガー掛け用のフックとし、通信機を筐体内部に設けたインターホンが知られている（特許文献１を参照）。
【０００３】
【特許文献１】
【発明が解決しようとする課題】
ところで、近年、インテリアの一環として、小物などを壁面に保持して壁面を装飾することが一般化している。具体的には、花を紐状の土台に生けてなるフラワーアレンジメントを壁面のピンに結び付けて壁面を華やかに装飾することや、芳香剤が充填された瀬戸物を壁面のピンに吊るして壁面を実用的に装飾することなどがある。そして、これらの装飾を壁面に施す場合、小物などが保持されている部分をできる限り隠すことが好ましい。
【０００４】
しかしながら、従来のインターホンにおいては、筐体の正面をハンガー掛け用のフックとしているので、小物などが保持されている部分は筐体の正面に位置してしまい、小物などが保持されている部分が筐体の正面に露呈してしまう問題があった。
【０００５】
そこで、本発明は、上記問題を解決するためのものであって、小物などが保持されている部分をできる限り隠しながら電子機器本体の周囲の壁面を装飾することができる壁掛電子機器を提供するものである。
【０００６】
【課題を解決するための手段】
本発明に係る壁掛電子機器は、凹部が形成された面を有する電子機器本体と、前記電子機器本体の前記凹部に位置した状態で前記電子機器本体を係止する係止部を有して壁面に固定可能な係止部材と、物体を保持する保持面を有して前記電子機器本体の前記凹部と前記係止部材との間に位置する物体保持部材とを備えたことを特徴する構成を有している。
【０００７】
この構成によれば、小物などは電子機器本体の凹部と係止部材との間に隠された状態で保持されるので、小物などが保持されている部分をできる限り隠しながら電子機器本体の周囲の壁面を装飾することができる。
【０００８】
本発明に係る壁掛電子機器において、前記物体保持部材は、前記係止部材と一体成形されていることを特徴とする構成を有している。
【０００９】
この構成によれば、物体保持部材を係止部材に固定する必要がないので、ユーザは小物などを物体保持部材に保持するだけで足り、小物などが保持されている部分をできる限り隠しながら電子機器本体の周囲の壁面を簡易に装飾することができる。
【００１０】
本発明に係る壁掛電子機器において、前記物体保持部材は、前記電子機器本体と一体成形されていることを特徴とする構成を有している。
【００１１】
この構成によれば、物体保持部材を電子機器本体に固定する必要がないので、ユーザは小物などを物体保持部材に保持するだけで足り、小物などが保持されている部分をできる限り隠しながら電子機器本体の周囲の壁面を簡易に装飾することができる。
【００１２】
本発明に係る壁掛電子機器において、前記物体保持部材は、前記保持面と、この保持面が物体を保持する方向とは異なる方向から物体を保持する副保持面とを有することを特徴とする構成を有している。
【００１３】
この構成によれば、小物などは保持面によって保持されつつ、電子機器本体および係止部材の何れか一方と副保持面との間で移動を規制されるので、小物などが保持面上を移動して落下することは回避され、小物などが保持されている部分をできる限り隠しながら電子機器本体の周囲の壁面を安全に装飾することができる。
【００１４】
本発明に係る壁掛電子機器において、前記物体保持部材は、穴部が形成され、前記穴部の内壁面を前記保持面とすることを特徴とする構成を有している。
【００１５】
この構成によれば、小物などは物体保持部材に形成された穴部の内壁面によって保持されるので、小物などが保持面である内壁面上を移動して落下することは回避され、小物などが保持されている部分をできる限り隠しながら電子機器本体の周囲の壁面を安全に装飾することができる。
【００１６】
【発明の実施の形態】
（第１の実施の形態）
【００１７】
図１から図３を参照して、本発明に係る壁掛電子機器の第１の実施の形態であるテレビドアホンについて説明する。図１に示すように、テレビドアホン１００は、テレビドアホン本体１１０と、テレビドアホンを係止する係止部材１２０と、係止部材１２０を壁に固定するネジや釘などの固定部材１３０ａ、１３０ｂと、小物などの物体を保持する物体保持部材１４０とを備える。
【００１８】
テレビドアホン本体１１０は、テレビドアホンとしての機能を有する図示しない電子機器と、電子機器を格納する筐体１１１とを備える。筐体１１１の表面１１１ａには、画像を出力する図示しないモニタおよび音声を出力する図示しないスピーカが設けられている。他方、筐体１１１の裏面１１１ｂには、裏面１１１ｂの他の部位よりも凹んでいる凹部１１１ｃが裏面１１１ｂの周縁から中心に向けて形成されている。凹部１１１ｃには、係止部材１２０によって係止される被係止部１１１ｄ、１１１ｅが設けられている。
【００１９】
係止部材１２０は、金属からなり、テレビドアホン本体１１０の被係止部１１１ｄ、１１１ｅを係止する係止部１２１ａ、１２１ｂを備える。係止部材１２０には、固定部材１３０ａ、１３０ｂが挿入される固定穴１２２ａ、１２２ｂが形成されており、係止部材１２０は、固定部材１３０ａ、１３０ｂと壁面Ｆとの間に挟まれた状態で固定される。なお、本実施の形態では、係止部材は金属を成形してなるものであるが、係止部材が樹脂などを成形してなる場合を妨げない。
【００２０】
物体保持部材１４０は、テレビドアホン本体１１０と対向する側に位置するように係止部材１２０と一体成形されており、小物などの物体を保持する保持面１４１および保持面１４１が物体を保持する方向とは異なる方向から物体を保持する副保持面１４２からなるフック形状になっている。図２に示すように、テレビドアホン本体１１０が係止部材１２０によって係止された状態では、物体保持部材１４０の保持面１４１は、テレビドアホン本体１１０の凹部１１１ｃと凹部１１１ｃに対向する係止部材１２０の面との隙間に位置している。
【００２１】
なお、本実施の形態においては、１個の物体保持部材１４０が係止部材１２０に一体成形されているが、複数個の物体保持部材１４０が係止部材１２０に一体成形されてもよい。また、物体保持部材１４０が係止部材１２０と一体成形されているが、図３に示すように、ネジ穴を係止部材１２０に形成して、物体保持部材１４０を係止部材１２０にネジ固定する場合を妨げるものではない。さらに、物体保持部材１４０が保持面１４１および副保持面１４２からなるフック形状をしているが、物体保持部材１４０が保持面１４１のみからなる形状であること場合を妨げない。
【００２２】
本実施の形態によれば、物体保持部材１４０を係止部材１２０に固定する必要がないので、小物などを紐によって物体保持部材１４０に結びつけた場合、ユーザは小物などを物体保持部材１４０に結びつけるだけで足り、小物などが保持されている結び目をできる限り隠しながらテレビドアホン本体１１０の周囲の壁面Ｆを簡易に装飾することができる。
【００２３】
本実施の形態によれば、小物などを紐によって物体保持部材１４０に結びつけた場合、紐の結び目は、保持面１４１によってテレビドアホン本体１１０と係止部材１２０との間に隠れた状態で保持されるので、小物などが保持されている紐の結び目をできる限り隠しながらテレビドアホン本体１１０の周囲の壁面Ｆを装飾することができる。
【００２４】
本実施の形態によれば、小物などを紐によって物体保持部材１４０に結びつけた場合、係止部材１２０と副保持面１４２との間で移動が規制されるので、小物などが保持面１４１上を移動して物体保持部材１４０とテレビドアホン本体１１０との間の隙間から落下することは回避され、小物などが保持されている紐の結び目をできる限り隠しながらテレビドアホン本体１１０の周囲の壁面Ｆを安全に装飾することができる。
（第２の実施の形態）
【００２５】
図４から図６を参照して、本発明に係る壁掛電子機器の第２の実施の形態であるテレビドアホン２００についてその特徴的な部分のみを説明し、第１の実施の形態と重複構成については同一の番号を使用してこれらについての説明を省略する。
【００２６】
図４に示すように、物体保持部材２４０は、テレビドアホン本体１１０の凹部１１１ｃに一体成形されており、小物などの物体を保持する保持面２４１および保持面２４１が物体を保持する方向とは異なる方向から物体を保持する副保持面２４２からなるフック形状になっている。図５に示すように、テレビドアホン本体１１０が係止部材１２０によって係止された状態では、物体保持部材２４０の保持面２４１は、テレビドアホン本体１１０の凹部１１１ｃと凹部１１１ｃに対向する係止部材１２０の面との隙間に位置している。
【００２７】
なお、本実施の形態においては、１個の物体保持部材２４０がテレビドアホン本体１１０に一体成形されているが、複数個の物体保持部材２４０がテレビドアホン本体１１０に一体成形されてもよい。また、物体保持部材２４０がテレビドアホン本体１１０に一体成形されているが、図６に示すように、ネジ穴をテレビドアホン本体１１０に形成して、物体保持部材２４０をテレビドアホン本体１１０にネジ固定する場合を妨げるものではない。さらに、物体保持部材２４０が保持面２４１および副保持面２４２からなるフック形状をしているが、物体保持部材２４０が保持面２４１のみからなる形状であること場合を妨げない。
【００２８】
本実施の形態によれば、物体保持部材２４０をテレビドアホン本体１１０に固定する必要がないので、小物などを紐によって物体保持部材２４０に結びつけた場合、ユーザは小物などを物体保持部材２４０に結びつけるだけで足り、小物などが保持されている結び目をできる限り隠しながらテレビドアホン本体１１０の周囲の壁面Ｆを簡易に装飾することができる。
【００２９】
本実施の形態によれば、小物などを紐によって物体保持部材２４０に結びつけた場合、テレビドアホン本体１１０と副保持面２４２との間で移動が規制されるので、小物などが保持面２４１上を移動して物体保持部材２４０と係止部材１２０との間の隙間から落下することは回避され、小物などが保持されている紐の結び目をできる限り隠しながらテレビドアホン本体１１０の周囲の壁面Ｆを安全に装飾することができる。
（第３の実施の形態）
【００３０】
図７を参照して、本発明に係る壁掛電子機器の第３の実施の形態であるテレビドアホン３００についてその特徴的な部分のみを説明し、第１の実施の形態と重複構成については同一の番号を使用してこれらについての説明を省略する。
【００３１】
図７に示すように、物体保持部材３４０は、穴部２４１が形成され、穴部３４１の内壁面３４１ａを保持面としている。そして、図１または図４に示した場合と同様に、テレビドアホン本体１１０が係止部材１２０によって係止された状態では、物体保持部材３４０の内壁面３４１ａは、テレビドアホン本体１１０の凹部１１１ｃと凹部１１１ｃに対向する係止部材１２０の面との隙間に位置している。
【００３２】
なお、本実施の形態においては、物体保持部材３４０には１個の穴部３４１のみが形成されているが、複数個の穴部３４１が形成されてもよい。また、テレビドアホン３００が、１個の穴部３４１のみが形成された複数個の物体保持部材３４０を備えるようにしてもよい。
【００３３】
本実施の形態によれば、小物などを紐によって物体保持部材３４０に結びつけた場合、紐の結び目は物体保持部材３４０に形成された内壁面３４１ａで囲まれた部分のみを移動するので、紐の結び目が内壁面３４１ａを移動して落下することはなく、小物などが保持されている紐の結び目をできる限り隠しながら電子機器本体の周囲の壁面Ｆを安全に装飾することができる。
【００３４】
【発明の効果】
本発明によれば、小物などは電子機器本体の凹部と係止部材との間に隠された状態で保持されるので、小物などが保持されている部分をできる限り隠しながら電子機器本体の周囲の壁面を装飾することができる壁掛電子機器を提供することができる。
【図面の簡単な説明】
【図１】本発明に係る壁掛電子機器の第１の実施の形態であるテレビドアホンの構成を示す斜視外観図
【図２】第１の実施の形態であるテレビドアホンが壁面に掛けられた状態を示す側面図
【図３】物体保持部材が係止部材に一体成形されない場合における物体保持部材と係止部材との関係を示す斜視図
【図４】本発明に係る壁掛電子機器の第２の実施の形態であるテレビドアホンの構成を示す斜視外観図
【図５】第２の実施の形態であるテレビドアホンが壁面に掛けられた状態を示す側面図
【図６】物体保持部材がテレビドアホン本体に一体成形されない場合における物体保持部材とテレビドアホン本体との関係を示す斜視図
【図７】本発明に係る壁掛電子機器の第３の実施の形態であるテレビドアホンを構成する物体保持部材の構成を示す斜視外観図
【符号の説明】
１１０    テレビドアホン本体（電子機器本体）
１１１ｃ  凹部
１２０    係止部材
１４０、２４０、３４０    物体保持部材
１４１、２４１、３４１ａ  保持面
１４２、２４２  副保持面
３４１  穴部
【図１】
2004200482.tif 000003
【図２】
2004200482.tif 000004
【図３】
2004200482.tif 000005
【図４】
2004200482.tif 000006
【図５】
2004200482.tif 000007
【図６】
2004200482.tif 000008
【図７】
2004200482.tif 000009